(57)【要約】【課題】吊り荷を下げるワイヤーロープなどに引かれて手放した手鉤棒が、ロープから外れるのを阻止し、二次的に生ずる事故の発生が防止できる手鉤棒を提供する。【解決手段】ロープによって吊り下げられた吊り荷の荷役運搬作業を補助する手鉤棒１であって、所定の長さを有する操作アーム２と、操作アームの前端部に取り付けられて、先端部が湾曲されることで前記ロープに係止可能になされた鉤部３と、鉤部における操作アーム２側の基端部と鉤部の前記先端部との間の開口部３Ａを開閉可能にする爪部材７が備えられる。ロープに係止した状態の鉤部３が、開口部３Ａを閉じた爪部材７によって、ロープから脱落するが阻止される。【選択図】図１
0003225124.tif 000002
【実用新案登録請求の範囲】
【請求項１】
ロープによって吊り下げられた吊り荷の荷役運搬作業を補助する手鉤棒であって、
所定の長さを有する操作アームと、前記操作アームの前端部に取り付けられて、先端部が湾曲されることで前記ロープに係止可能になされた鉤部と、前記鉤部における操作アーム側の基端部と鉤部の前記先端部との間の開口部を開閉可能にする爪部材が備えられ、
前記ロープに係止した状態の鉤部が、前記開口部を閉じた前記爪部材によって、ロープから脱落するのを阻止させることを特徴とする手鉤棒。
【請求項２】
前記操作アームにおける後端部側の握り部付近に、前記鉤部の開口部を爪部材で閉じた状態でロックさせる閉塞レバーと、前記ロックを外して開口部を閉じた状態の前記爪部材を開放させる開放レバーとが備えられていることを特徴とする請求項１に記載の手鉤棒。
【請求項３】
前記閉塞レバーの操作により、操作アームの長手方向に沿って配置されたワイヤーを牽引することで、鉤部の前記開口部を前記爪部材によって閉じると共に、閉塞レバーを操作方向にロックさせるロック機構と、
前記開放レバーの操作により、前記ロック機構のロック状態を外すことで、鉤部の開口部を閉じた状態の前記爪部材を開放させる戻しばねと、
がさらに備えられていることを特徴とする請求項２に記載の手鉤棒。
【考案の詳細な説明】
【技術分野】
【０００１】
この考案は、玉掛け作業において好適に用いることができる手鉤棒の改良に関する。
【背景技術】
【０００２】
クレーン等の吊り具を用いて荷役運搬作業を行うには、クレーンのフックにワイヤーロープ等を介して吊り荷を吊り上げて移動させる一連の玉掛け作業が伴われる。
この玉掛け作業においては、前記ワイヤーロープを手鉤棒を用いて牽引するなどして、吊り上げ中の吊り荷が大きく揺れるのを防止させたり、吊り荷を所定の場所に降ろす場合に、吊り荷の配置の方向を調整するなどの操作が行われる。
【０００３】
すなわち、玉掛け作業においては、作業員は吊り荷やこれを吊り下げるワイヤーロープに、直接手で触れないことが、安全操作上の基本原則であり、前記手鉤棒は重量の嵩む吊り荷と作業員との間で、常に一定の距離を確保するために用いられる。
これにより、吊り荷との衝突の防止や、吊り荷と壁との間に作業員が挟まれるなどの事故を避けることができる。
【０００４】
前記した玉掛け作業において利用される手鉤棒については種々の提案がなされており、図４はその一例を示すものである。図４に示すように吊り荷３１は、ワイヤーロープ３２によって吊り下げられ、このワイヤーロープ３２の上端は、図示せぬクレーンのフックに係止される。
そして、手鉤棒３３における軸部３３ａの先端部には、一対の鉤杆３３ｂが平行状態に形成されて、二股鉤部が形成されている。そして、一対の鉤杆３３ｂによる二股鉤部の間にワイヤーロープ３２を位置させることで、ワイヤーロープ３２を手前に引いたり、手前から外側に押し込むなどの操作ができるように構成されている。なお、図４に示す手鉤棒３３については、特許文献１に開示されている。
【０００５】
また、玉掛け作業において利用される従来の手鉤棒の他の例として、特許文献２に開示されたものを挙げることができる。
図５は特許文献２に開示された手鉤棒を示しており、この手鉤棒４１は、径の異なる複数本のパイプ材４２ａ〜４２ｃを伸縮可能に連結することにより、握り部４３を備えた軸部４２を構成している。そして、軸部４２の前端部の両側には、一方にＬ字状に折り曲げ形成されたＬ鉤部４４が形成され、他方に手前側に向かってＵ字状に湾曲した円弧状鉤部４５が形成された構成が開示されている。
【０００６】
この特許文献２に開示された手鉤棒４１によると、Ｌ鉤部４４における軸に直交する部分を利用して、ワイヤーロープ４７の一部を手前から外側に押し出す操作を行うことができ、またＵ字状の円弧状鉤部４５を利用して、ワイヤーロープ４７を手前に引くことができる。
【先行技術文献】
【特許文献】
【０００７】
【特許文献１】登録実用新案第３０４０７７０号公報
【特許文献２】特開２０１８−２３９６号公報
【考案の概要】
【考案が解決しようとする課題】
【０００８】
ところで、前記した手鉤棒を用いて玉掛け作業を行うにあたっては、重量の嵩む吊り荷の慣性を受けて、ワイヤーロープに係止した手鉤棒が大きな力で引かれる場合が発生する。この様な場合には、事故の発生を防ぐために、手鉤棒を無理に引かずに、手鉤棒を手放すことが望まれる。
しかし、前記した従来の手鉤棒によると、手鉤棒を手放した場合においては、手鉤棒がワイヤーロープから外れて脱落し、脱落した手鉤棒の一部が作業者に当たるなどして、怪我を負うなどの二次的な事故が発生し得る。
【０００９】
この考案は、前記した具体的な事例に基づいてなされたものであり、この考案が解決しようとする課題は、吊り荷を下げるワイヤーロープなどに引かれて手放した手鉤棒が、脱落することで、二次的に生ずる事故の発生が防止できると共に、玉掛け作業において操作の容易な手鉤棒を提供することを主要な目的とするものである。
【課題を解決するための手段】
【００１０】
前記した課題を解決するためになされたこの考案に係る手鉤棒は、ロープによって吊り下げられた吊り荷の荷役運搬作業を補助する手鉤棒であって、所定の長さを有する操作アームと、前記操作アームの前端部に取り付けられて、先端部が湾曲されることで前記ロープに係止可能になされた鉤部と、前記鉤部における操作アーム側の基端部と鉤部の前記先端部との間の開口部を開閉可能にする爪部材が備えられ、前記ロープに係止した状態の鉤部が、前記開口部を閉じた前記爪部材によって、ロープから脱落するのを阻止させることを特徴とする。
【００１１】
この場合、好ましくは操作アームにおける後端部側の握り部付近に、前記鉤部の開口部を爪部材で閉じた状態でロックさせる閉塞レバーと、前記ロックを外して開口部を閉じた状態の前記爪部材を開放させる開放レバーとが備えられる。
【００１２】
そして、前記閉塞レバーの操作により、操作アームの長手方向に沿って配置されたワイヤーを牽引することで、鉤部の前記開口部を前記爪部材によって閉じると共に、閉塞レバーを操作方向にロックさせるロック機構と、前記開放レバーの操作により、前記ロック機構のロック状態を外すことで、鉤部の開口部を閉じた状態の前記爪部材を開放させる戻しばねとがさらに備えられていることが望ましい。
【考案の効果】
【００１３】
この考案に係る前記した手鉤棒によると、例えばクレーンのフックにワイヤーロープを介して吊り下げられた吊り荷は、前記手鉤棒の鉤部をワイヤーロープに係止させることで、吊り荷の揺れ止めや吊り荷の配置の方向を調整することができる。
この場合、手鉤棒の鉤部をワイヤーロープに係止させると共に、閉塞レバーの操作によって爪部材を閉じた状態にすることで、ワイヤーロープからの鉤部の外れを防止させることができる。
【００１４】
したがって、吊り荷の揺れなどにより、手鉤棒が大きく引かれる場合には、無理をせずに手鉤棒を手放すことで、手鉤棒は脱落せずにワイヤーロープに確実に係止された状態を保つことができる。
これにより、手鉤棒がワイヤーロープから脱落することで、二次的に生ずる事故の発生を防止させることができ、玉掛け作業における安全性を向上させた手鉤棒を提供することができる。
【図面の簡単な説明】
【００１５】
【図１】この考案に係る手鉤棒の全体構成を示し、（Ａ）は上面図、（Ｂ）は主要部を透視状態で示した正面図である。
【図２】図１に示す手鉤棒の操作アーム前端部に取り付けられた鉤部付近の部分拡大図である。
【図３】図１に示す手鉤棒の操作アーム後端部付近に取り付けられた２つの操作レバーを含む部分拡大図である。
【図４】従来の手鉤棒の一例について、ワイヤーロープの操作状態を示した斜視図である。
【図５】従来の手鉤棒の他の例を示した正面図である。
【考案を実施するための形態】
【００１６】
この考案に係る手鉤棒について、図１〜図３に示す実施の形態に基づいて説明する。
この手鉤棒１は、その全体構成を図１に示したように、長尺状の操作アーム２を有し、この操作アーム２の前端部に鉤部３が取り付けられている。そして、操作アーム２の後端部側には、円柱状に形成された握り部４が取り付けられており、図示例に示す手鉤棒１は、全長が８００ｍｍ程度の長さ寸法に仕上げられている。
なお、この手鉤棒１の長さ寸法は、玉掛け作業において扱う吊り荷の大きさや重量などに応じて、適宜選択されるものとなる。
【００１７】
前記操作アーム２には、図１（Ａ）に示すように、例えばアルミ合金により成形された長尺状の二枚のプレート２ａ，２ｂが左右に用いられており、長手方向の適宜の位置に取り付けられた複数の軸部材５によって、左右のプレート２ａ，２ｂが所定の間隔をおいて、互いに平行状態に取り付けられることで、操作アーム２を構成している。
【００１８】
また、操作アーム２の前端部に取り付けられた鉤部３においても、例えばアルミ合金により成形された二枚のプレート３ａ，３ｂが左右に用いられており、これら左右のプレート３ａ，３ｂも、複数の軸部材５によって平行状態に取り付けられることで、鉤部３が構成されている。
なお、図１（Ｂ）に示す手鉤棒１の正面図おいては、操作アーム２および鉤部３を構成する手前側のプレート２ａ，３ａを、部分的に破断した状態で示しており、これにより前記鉤部３とその付帯部材、および後述する操作レバー等を含む機構は露出した状態で示されている。
【００１９】
前記鉤部３は、図１（Ｂ）に示されるように先端部が円弧状に湾曲されており、この鉤部３が玉掛け作業において、吊り荷を吊すワイヤーロープに係止することで、吊り荷の揺れ止めや吊り荷の配置の方向を調整することができる。
鉤部３を構成する左右のプレート３ａ，３ｂの間には、プレート３ａ，３ｂに跨がる支軸６によって爪部材７の一端部が回動可能に取り付けられている。そして、この爪部材７は、鉤部３の操作アーム２側の基端部と、鉤部３の前記した先端部との間に形成された開口部３Ａを、回動動作によって開閉可能になされている。
なお、鉤部３と爪部材７等を含む詳細な構成は、図２に基づいて後で説明する。
【００２０】
一方、操作アーム２の後端部側には、操作アーム２を形成するプレート２ａ，２ｂの外側を囲むようにして、円柱状になされた前記した握り部４が取り付けられている。そして、この握り部４の直前には、前記した鉤部３の開口部３Ａを、爪部材７で閉じた状態でロックさせる閉塞レバー８と、前記ロックを外して閉じた状態の前記爪部材７を開放させる開放レバー９とが備えられている。
なお、閉塞レバー８および開放レバー９と、ロック機構１１等を含む詳細な構成は、図３に基づいて後で説明する。
【００２１】
図２は、操作アーム２の前端部に取り付けられた鉤部３と、爪部材７等を含む機構を、部分的に拡大した状態でして示している。
爪部材７は、鉤部３の操作アーム２側の基端部において、支軸６によって鉤部３に回動可能に取り付けられており、この爪部材７は鉤部３の開口部３Ａを閉じない状態の開放状態においては、鉤部３と一体に形成された収容部３Ｂ側に位置した状態になされる。
【００２２】
前記爪部材７の支軸６側に近い部分には、爪部材７の長手方向に直交するように、プレート片１２がリベット１３によって取り付けられており、このプレート片１２の鉤部３側に位置する端部には、操作アーム２の長手方向に沿って配置されたワイヤー１４の前端部が係止されている。
【００２３】
このワイヤー１４は、爪部材７を回動可能に支持する前記支軸６の軸回りに沿って配置されており、したがって、ワイヤー１５が操作アーム２の握り部４側に向かって牽引されることで、爪部材７は鎖線で示すように、鉤部３の前記開口部３Ａを閉じるように回動する。
【００２４】
前記プレート片１２の他端部と、操作アーム２側に配置された支軸１５に取り付けられた係止片１６との間には、コイル状の戻しばね１７が取り付けられており、この戻しばね１７は、前記プレート片１２を牽引することで、前記爪部材７を収容部３Ｂ側に位置させるように付勢力を与えている。
すなわち、前記爪部材７は、ワイヤー１４が牽引されることによって、鉤部３の前記開口部３Ａを閉じるように回動すると共に、ワイヤー１４の牽引が解かれることによって、爪部材７は戻しばね１７の牽引力によって、開口部３Ａを開放させて収容部３Ｂ側に位置するように動作する。
【００２５】
図３は、操作アーム２の後端部に取り付けられた握り部４の直前に配置された閉塞レバー８および開放レバー９と、ロック機構１１等を含む構成を、部分的に拡大した状態で示している。
閉塞レバー８は、操作アーム２の上側に向かって配置され、上端部が手前側（握り部４側）に向かって、鎖線で示すように回動可能となるように支軸２１によって支持されている。そして、閉塞レバー８の中央部には、閉塞レバー８の長手方向に沿って、長孔８ａが形成されている。
この長孔８ａには、操作アーム２の長手方向に沿って移動可能なスライダー２２に取り付けられた係止軸２３が挿入されており、前記スライダー２２の前端部には、前記したワイヤー１４の後端部がビス２４によって結合されている。
【００２６】
一方、開放レバー９は、前記した閉塞レバー８よりも握り部４に近い位置に配置されており、この開放レバー９は、操作アーム２の下側に向かって配置され、下端部が手前側（握り部４側）に向かって、鎖線で示すように回動可能となるように支軸２５によって支持されている。
この開放レバー９は、開放レバーの下向きの操作部を中央にして、ほぼＴ字状に形成されていて、水平方向の前方の端部には、前記したスライダー２２に取り付けられた係止軸２３に接するカム面９ａが形成されている。
【００２７】
そして、カム面９ａに続く開放レバー９のやや中央部寄りの位置には、前記係止軸２３が入り込んで、ロック状態に係止させる係止段部９ｂが形成されている。
また、開放レバー９のＴ字状に形成された水平方向の後方端部９ｃには、開放レバー９の姿勢を実線に示す状態に戻すコイルばね２６の端部が取り付けられており、このコイルばね２６の他端部は、握り部４内に位置する支軸２７に係止されている。
【００２８】
図１〜図３に示した手鉤棒１の構成によると、図３に示した閉塞レバー８および開放レバー９が、操作アーム２の長手方向に直交した実線で示す定常時においては、閉塞レバー８に形成された長孔８ａ内に位置する係止軸２３と、これを支持するスライダー２２は、前進状態に設定される。
したがって、スライダー２２に接続されたワイヤー１４は牽引されずに、鉤部３に配置された爪部材７は、図２に示す戻しばね１７の作用により、収容部３Ｂ側に位置し、鉤部３の開口部３Ａは開放状態に設定される。
【００２９】
玉掛け作業にあたっては、鉤部３の開口部３Ａを開放状態にした状態で、吊り荷を吊すワイヤーロープの一部に鉤部３を係止させる。この状態で、図３に示す閉塞レバー８を手前に引くことで、スライダー２２の係止軸２３が後退する。
係止軸２３の後退により、この係止軸２３は開放レバー９のカム面９ａに当接して当該カム面９ａを押し下げながら、開放レバー９の係止段部９ｂに入り込み、係止軸２３およびスライダー２２は、後退した状態でロックされる。
このロック動作には、開放レバー９の後方端部９ｃを牽引する前記したコイルばね２６の牽引作用が利用される。
【００３０】
以上のとおり、スライダー２２に取り付けられた係止軸２３、開放レバー９に形成されたカム面９ａおよび係止段部９ｂ、開放レバー９を牽引するコイルばね２６等により前記したロック機構１１が形成されており、このロック機構１１は、前記した閉塞レバー８を、操作方向にロックさせる機能を果たすものとなる。
【００３１】
前記したように係止軸２３およびスライダー２２が後退した状態でロックされることで、ワイヤー１４が牽引され、図２に基づいてすでに説明したとおり、鉤部３の爪部材７は鎖線で示すように、鉤部３の開口部３Ａを閉じる。
これにより、吊り荷を吊すワイヤーロープは、鉤部３の開口部３Ａと爪部材７との間に入り、鉤部３は吊り荷を吊すワイヤーロープから脱落するのが阻止される。
【００３２】
一方、玉掛け作業が終わり、吊り荷を吊すワイヤーロープから鉤部３を外すには、図３に示す開放レバー９を手前に引いて、開放レバー９を鎖線で示す状態まで倒すことで、開放レバー９の係止段部９ｂに係止された状態の係止軸２３のロック状態を解除することができる。
【００３３】
すなわち、係止軸２３はスライダー２２と共に、操作アーム２の長手方向に前進可能になされるので、図２に示す爪部材７は、戻しばね１７に引かれて爪部材７の収容部３Ｂ側に回動し、鉤部３の開口部３Ａを閉じた状態の前記爪部材７は開放する。
この動作に伴い、ワイヤー１４は鉤部３側、すなわち前方に引かれて移動し、スライダー２２および閉塞レバー８は、図３に示す実線の状態に戻る。
この状態において、吊り荷を吊すワイヤーロープから鉤部３を取り外すことができる。
【００３４】
以上の説明で明らかなとおり、この考案に係る手鉤棒によると、先端部に設けた鉤部の開口部を閉じる爪部材が備えられているので、吊り荷のワイヤーロープに係止した状態の鉤部が、前記爪部材によってワイヤーロープから脱落するのを阻止させることができる。  したがって、吊り荷の揺れなどにより、手鉤棒が大きく引かれる場合において、手鉤棒を手放しても、手鉤棒は脱落せずにワイヤーロープに確実に係止された状態を保つことができる。
【００３５】
これにより、手鉤棒がワイヤーロープから脱落することで、二次的に生ずる事故の発生を防止できるなど、前記した考案の効果の欄に記載した作用効果を有する手鉤棒を提供することができる。
【符号の説明】
【００３６】
１      手鉤棒
２      操作アーム
３      鉤部
３Ａ    開口部
３Ｂ    収容部
４      握り部
５      軸部材
６      支軸
７      爪部材
８      閉塞レバー
８ａ    長孔
９      開放レバー
９ａ    カム面
９ｂ    係止段部
１１    ロック機構
１４    ワイヤー
１５    支軸
１７    戻しばね
２１    支軸
２２    スライダー
２３    係止軸
２５    支軸
２６    コイルばね
【図１】
0003225124.tif 000003
【図２】
0003225124.tif 000004
【図３】
0003225124.tif 000005
【図４】
0003225124.tif 000006
【図５】
0003225124.tif 000007